Podtech/llm-jp-corpus-v4-ja_patent huggingface dataset:
【手続補正書】
【提出日】令和3年1月5日(2021.1.5)
【手続補正１】
【補正対象書類名】特許請求の範囲
【補正対象項目名】全文
【補正方法】変更
【補正の内容】
【特許請求の範囲】
【請求項１】
作動変位における熱変動を補償するように適合されるアクチュエータ構造体であって、当該アクチュエータ構造体は、
１つ又は複数の材料層を含む活性層構造体であって、各材料層が電気刺激に応答して変形可能な電気活性材料を含む、活性層構造体と、
該活性層構造体に結合された受動的なキャリア層構造体と、
前記活性層構造体の前記電気活性材料に与えられる電気刺激の電流又は電圧を温度の関数として修正し、それによって作動変位における前記熱変動を補償するように適合される受動的な補償手段と、を有しており、
該受動的な補償手段は、温度依存性の多層コンデンサ構造体を含み、前記受動的なキャリア層構造体は、前記コンデンサ構造体を形成するように適合される、
アクチュエータ構造体。
【請求項２】
前記活性層構造体は、温度の関数として熱変形を示し、前記受動的な補償手段は、前記熱変形を打ち消す電気的変形の結果としての変動を生じさせるようなレートで、温度の関数として前記電流又は電圧を修正する、請求項１に記載のアクチュエータ構造体。
【請求項３】
前記多層コンデンサ構造体は、前記活性層構造体の前記電気活性材料と電気的に直列に配置される、請求項１又は２に記載のアクチュエータ構造体。
【請求項４】
前記コンデンサ構造体の複数の層が、好ましくは並列に接続された複数のコンデンサを形成する、請求項１乃至３のいずれか一項に記載のアクチュエータ構造体。
【請求項５】
前記コンデンサ構造体によって形成される前記複数のコンデンサのうちの少なくとも２つが、異なる静電容量を有する、請求項４に記載のアクチュエータ構造体。
【請求項６】
前記受動的な補償手段は、温度依存性の抵抗器をさらに含む、請求項３に記載のアクチュエータ構造体。
【請求項７】
前記受動的な補償手段は、前記材料層のうちの１つ又は複数の材料特性によってさらに提供される、請求項１又は２に記載のアクチュエータ構造体。
【請求項８】
前記材料特性は、温度の関数として変化する誘電率であり、オプションで、該誘電率は、温度上昇の関数として低下する、請求項７に記載のアクチュエータ構造体。
【請求項９】
前記アクチュエータ構造体は、制御可能なバイアス電圧を前記多層コンデンサ構造体に供給して、それにより印加された前記バイアス電圧に依存して前記多層コンデンサ構造体が示す静電容量を調整するように適合された静電容量調整手段を含む、請求項１乃至８のいずれか一項に記載のアクチュエータ構造体。
【請求項１０】
前記静電容量調整手段は、温度の関数として前記コンデンサ構造体によって示される前記静電容量が、作動変位における前記熱変動を打ち消す電気的変形の結果としての変動を生じさせるようなレートで、前記電流又は電圧を修正するように、供給される前記バイアス電圧のレベルを調整するように構成される、請求項２を引用する場合の請求項９に記載のアクチュエータ構造体。
【請求項１１】
コントローラが、前記活性層構造体の部分的な変形を刺激するために、持続的な電気的バイアスを前記活性層構造体に与えるように使用中に適合される、請求項１０に記載のアクチュエータ構造体。
【請求項１２】
前記活性層構造体は、前記活性層構造体の電気的変形又は熱変形がない場合に第１の方向に曲げバイアスを示すように構成され、且つ電気的変形又は熱膨張の際に反対方向の曲げバイアスを示すように構成され、オプションで、コントローラが、前記第１の方向の前記曲げバイアスを部分的に打ち消すために、持続的な電気的バイアスを前記活性層構造体に与えるように使用中に適合される、請求項１乃至１１のいずれか一項に記載のアクチュエータ構造体。
【請求項１３】
前記キャリア層構造体は、１つ又は複数の予め応力が加えられた材料層を含み、前記キャリア層構造体は、温度に応じて正に変化する弾性を示し、オプションで、少なくとも前記活性層構造体は、温度に応じて負に変化する熱膨張を示す、請求項１乃至１２のいずれか一項に記載のアクチュエータ構造体。
【請求項１４】
アクチュエータ構造体の電気刺激を制御することを含む作動方法であって、前記アクチュエータ構造体は、
１つ又は複数の材料層を含む活性層構造体であって、各材料層が電気刺激に応答して変形可能な電気活性材料を含む、活性層構造体と、
該活性層構造体に結合された受動的なキャリア層構造体と、を有しており、
当該作動方法は、
電気刺激を前記活性層構造体に与えるステップであって、前記電気刺激の電流又は電圧が、受動的な補償手段によって温度の関数として事前に修正され、それによって前記アクチュエータ構造体の作動変位における熱変動を補償する、与えるステップを含み、
前記受動的な補償手段は、温度依存性の多層コンデンサ構造体を含み、前記受動的なキャリア層構造体は、前記コンデンサ構造体を形成するように適合される、
作動方法。
【請求項１５】
前記活性層構造体は、温度の関数として熱変形を示し、前記受動的な補償手段は、前記熱変形を打ち消す電気的変形の結果としての変動を生じさせるようなレートで、温度の関数として前記電圧又は電流を修正するように適合される、請求項１４に記載の作動方法。
【手続補正書】
【提出日】令和3年7月9日(2021.7.9)
【手続補正１】
【補正対象書類名】特許請求の範囲
【補正対象項目名】全文
【補正方法】変更
【補正の内容】
【特許請求の範囲】
【請求項１】
インタラクティブな飲料容器であって、
ボトルと、
前記ボトルの開口部を封止することによって前記飲料容器を閉鎖するためのキャップと、
前記キャップに取り付けられた回路であって、前記回路が、ブロードキャストエリアを介してデータを送信するように構成されている、回路と、を備え、
前記飲料容器が前記キャップによって閉鎖されているとき、前記回路の前記ブロードキャストエリアは前記ボトルの外側に延在せず、
前記飲料容器が開いているとき、前記ブロードキャストエリアは前記キャップから外に延在し、前記データは、前記ブロードキャストエリア内のモバイルデバイスによって受信可能である、インタラクティブな飲料容器。
【手続補正書】
【提出日】令和3年7月8日(2021.7.8)
【手続補正１】
【補正対象書類名】特許請求の範囲
【補正対象項目名】全文
【補正方法】変更
【補正の内容】
【特許請求の範囲】
【請求項１】
コンピュータシステムであって、
物体についての複数の３Ｄビューを含むデータストアと、
１つ以上のプロセッサであって、
物体についての３Ｄビューのための要求を受信することと、
前記物体についての前記３Ｄビューを送信することと、
前記物体が異なる角度から閲覧される頻度に関する使用統計値を含むデータログを受信することと、を行うためにコンピュータ読み取り可能な命令を実行するように構成されている、１つ以上のプロセッサとを含む、コンピュータシステム。
【請求項２】
前記１つ以上のプロセッサは、
ユーザーインターフェースを生成するためのデータを送信するようにさらに構成され、前記ユーザーインターフェースは、
前記データログに少なくとも部分的に基づいて生成されたグラフと、
前記物体の３Ｄビューと、を含む、請求項１に記載のコンピュータシステム。
【請求項３】
前記グラフは、前記物体についての複数のデータログに基づいて、前記物体の集計または平均閲覧期間を示す、請求項２に記載のコンピュータシステム。
【請求項４】
前記グラフのｘ軸は、前記物体を閲覧するための視点を示し、
前記グラフのｙ軸は、前記物体を閲覧している期間を示し、
前記グラフ上の各（ｘ、ｙ）ポイントの前記期間は、ある範囲の視点期間に基づく、請求項３に記載のコンピュータシステム。
【請求項５】
前記１つ以上のプロセッサは、前記データログに少なくとも部分的に基づいて、最もポピュラーな視点または最も長い期間閲覧された視点を示すようにさらに構成されている、請求項１に記載のコンピュータシステム。
【請求項６】
前記１つ以上のプロセッサは、
デバイスタイプまたは描画環境の指示を受信することと、
複数の補足データの中から、前記デバイスタイプまたは描画環境に応じて前記３Ｄビューを生成するための第１の補足データを選択することと、
前記第１の補足データを送信することと、を行うようにさらに構成されている、請求項１に記載のコンピュータシステム。
【請求項７】
前記１つ以上のプロセッサは、
前記物体の拡大ビューを見せる要求を受信することと、
前記要求に応じて、少なくとも前記物体のズームデータセットから画像を送信することと、を行うようにさらに構成されている、請求項１に記載のコンピュータシステム。
【請求項８】
コンピュータで実装された方法であって、
コンピュータ読み取り可能な命令を実行する１つ以上のプロセッサによって、
物体についての３Ｄビューのための要求を受信することと、
前記物体についての前記３Ｄビューを送信することと、
前記物体が異なる角度から閲覧される頻度に関する使用統計値を含むデータログを受信することと、を含む、コンピュータで実装された方法。
【請求項９】
前記１つ以上のプロセッサによって、ユーザーインターフェースを生成するためのデータを送信することをさらに含み、前記ユーザーインターフェースは、
前記データログに少なくとも部分的に基づいて生成されたグラフと、
前記物体の３Ｄビューと、を含む、請求項８に記載のコンピュータで実装された方法。
【請求項１０】
前記グラフは、前記物体についての複数のデータログに基づいて、前記物体の集計または平均閲覧期間を示す、請求項９に記載のコンピュータで実装された方法。
【請求項１１】
前記グラフのｘ軸は、前記物体を閲覧するための視点を示し、
前記グラフのｙ軸は、前記物体を閲覧している期間を示し、
前記グラフ上の各（ｘ、ｙ）ポイントの前記期間は、ある範囲の視点期間に基づく、請求項１０に記載のコンピュータで実装された方法。
【請求項１２】
前記１つ以上のプロセッサによって、前記データログに少なくとも部分的に基づいて、最もポピュラーな視点または最も長い期間閲覧された視点を示すことをさらに含む、請求項８に記載のコンピュータで実装された方法。
【請求項１３】
前記１つ以上のプロセッサによって、
デバイスタイプまたは描画環境の指示を受信することと、
複数の補足データの中から、前記デバイスタイプまたは描画環境に応じて前記３Ｄビューを生成するための第１の補足データを選択することと、
前記第１の補足データを送信することと、をさらに含む、請求項８に記載のコンピュータで実装された方法。
【請求項１４】
前記物体の拡大ビューを見せる要求を受信することと、
前記要求に応じて、少なくとも前記物体のズームデータセットから画像を送信することと、をさらに含む、請求項８に記載のコンピュータで実装された方法。
【請求項１５】
コンピュータプログラムが格納されたストレージを有する、非一時的なコンピュータストレージであって、前記コンピュータプログラムは、コンピュータシステムに、少なくとも、
物体についての３Ｄビューのための要求を受信することと、
前記物体についての前記３Ｄビューを送信することと、
前記物体が異なる角度から閲覧される頻度に関する使用統計値を含むデータログを受信することと、
を命令する、実行可能な命令を含む、非一時的なコンピュータストレージ。
【請求項１６】
前記実行可能な命令は、前記コンピュータシステムに、ユーザーインターフェースを生成するためのデータを送信することをさらに命令し、前記ユーザーインターフェースは、
前記データログに少なくとも部分的に基づいて生成されたグラフと、
前記物体の３Ｄビューと、を含む、請求項１５に記載の非一時的なコンピュータストレージ。
【請求項１７】
前記グラフは、前記物体についての複数のデータログに基づいて、前記物体の集計または平均閲覧期間を示す、請求項１６に記載の非一時的なコンピュータストレージ。
【請求項１８】
前記グラフのｘ軸は、前記物体を閲覧するための視点を示し、
前記グラフのｙ軸は、前記物体を閲覧している期間を示し、
前記グラフ上の各（ｘ、ｙ）ポイントの前記期間は、ある範囲の視点期間に基づく、請求項１７に記載の非一時的なコンピュータストレージ。
【請求項１９】
前記実行可能な命令は、前記コンピュータシステムに、前記データログに少なくとも部分的に基づいて、最もポピュラーな視点または最も長い期間閲覧された視点を示すことをさらに命令する、請求項１５に記載の非一時的なコンピュータストレージ。
【請求項２０】
前記実行可能な命令は、前記コンピュータシステムに、
デバイスタイプまたは描画環境の指示を受信することと、
複数の補足データの中から、前記デバイスタイプまたは描画環境に応じて前記３Ｄビューを生成するための第１の補足データを選択することと、
前記第１の補足データを送信することと、をさらに命令する、請求項１５に記載の非一時的なコンピュータストレージ。
【手続補正書】
【提出日】令和3年7月19日(2021.7.19)
【手続補正１】
【補正対象書類名】特許請求の範囲
【補正対象項目名】全文
【補正方法】変更
【補正の内容】
【特許請求の範囲】
【請求項１】
数値データとスタイルシートの組み合わせに基づくタグ特徴オプションの選択によって生成されるコンピュータ読み取り可能な安全追跡タグにより物理的またはデジタルの製品または文書にラベル付けすることを含む、物理的またはデジタルの製品または文書を追跡する方法。
【請求項２】
前記タグ特徴オプションは、前記数値データと前記スタイルシートとの組み合わせによって指定される前記コンピュータ読み取り可能な安全追跡タグの位置におけるタグ特徴の有無を含む、請求項１に記載の方法。
【請求項３】
前記タグ特徴オプションは、前記コンピュータ読み取り可能な安全追跡タグのタグ特徴のサイズ、色、または形状を含む、請求項１に記載の方法。
【請求項４】
前記タグ特徴オプションは、前記数値データと前記スタイルシートとの組み合わせによって指定される位置からの逸脱を含む、請求項１に記載の方法。
【請求項５】
前記タグ特徴オプションは、前記数値データと前記スタイルシートとの組み合わせによって指定される位置に存在するいくつかのタグ特徴を含む、請求項１に記載の方法。
【請求項６】
前記タグ特徴オプションは、前記コンピュータ読み取り可能な安全追跡タグのタグ特徴上のスプラインエンコードの存在を含む、請求項１に記載の方法。
【請求項７】
前記スプラインエンコードは、基準点または基準線から様々な距離に延びるタグ特徴端を含む、請求項６に記載の方法。
【請求項８】
前記様々な距離は、前記数値データの１つまたは複数の空間的に多重化された部分をエンコードする、請求項７に記載の方法。
【請求項９】
前記様々な距離は、前記数値データの１つまたは複数の空間的に多重化された部分の繰り返しをエンコードする、請求項８に記載の方法。
【請求項１０】
前記タグ特徴オプションは、前記コンピュータ読み取り可能な安全追跡タグのタグ特徴上の微細構造の存在を含む、請求項１に記載の方法。
【請求項１１】
前記コンピュータ読み取り可能な安全追跡タグのタグ特徴はリムを含み、前記リムのタグ特徴オプションは、リム破損、リム変形、およびリム接続を含む、請求項１に記載の方法。
【請求項１２】
前記コンピュータ読み取り可能な安全追跡タグのタグ特徴はリム破損を含み、前記リム破損のタグ特徴オプションはリム破損端形状を含む、請求項１に記載の方法。
【請求項１３】
前記コンピュータ読み取り可能な安全追跡タグのタグ特徴は、所定のタイプの前記タグ特徴間の接続を含み、前記接続のためのタグ特徴オプションは、接続幅および接続非対称を含む、請求項１に記載の方法。
【請求項１４】
前記コンピュータ読み取り可能な安全追跡タグのタグ特徴は、前記コンピュータ読み取り可能な安全追跡タグの既存のタグ特徴間の接続を含み、前記接続のためのタグ特徴オプションは、接続幅および接続非対称を含む、請求項１に記載の方法。
【請求項１５】
前記コンピュータ読み取り可能な安全追跡タグのタグ特徴は中央ロゴを含み、タグ特徴オプションは、前記安全追跡タグの中心点からの前記中央ロゴの変位を含む、請求項１に記載の方法。
【請求項１６】
前記方法は、前記コンピュータ読み取り可能な安全追跡タグを生成することをさらに含む、請求項１に記載の方法。
【請求項１７】
前記コンピュータ読み取り可能な安全追跡タグを生成することは、前記数値データの第１のサブセットに従って第１のタグ特徴オプションを選択し、前記第１のタグ特徴オプションの選択は第２のタグ特徴オプションを作成することと、前記数値データの第２のサブセットに従って前記第２のタグ特徴オプションを選択することと、を含む、請求項１６に記載の方法。
【請求項１８】
前記第１のタグ特徴オプションはポイントの有無を含み、前記第２のタグ特徴オプションは前記数値データの前記第１のサブセットに従って存在するポイント間の接続の有無を含み、前記数値データの第３のサブセットをエンコードする第３のタグ特徴オプションは、前記数値データの前記第２のサブセットに従って存在する前記各接続の幅を含む、請求項１７に記載の方法。
【請求項１９】
前記コンピュータ読み取り可能な安全追跡タグはベクトルグラフィックファイルを含み、前記物理的またはデジタルの製品または文書を前記コンピュータ読み取り可能な安全追跡タグでラベル付けすることは前記ベクトルグラフィックファイルをラスタライズすることを含む、請求項１に記載の方法。
【請求項２０】
前記方法は、前記コンピュータ読み取り可能な安全追跡タグの識別情報を認証サーバに提供することをさらに含む、請求項１に記載の方法。
【請求項２１】
前記方法は、前記コンピュータ読み取り可能な安全追跡タグのハッシュを生成し、前記識別情報を前記認証サーバに提供する前に、他のコンピュータ読み取り可能な安全追跡タグのハッシュとの衝突についてハッシュをチェックすることをさらに含む、請求項２０に記載の方法。
【誤訳訂正書】
【提出日】令和3年9月1日(2021.9.1)
【誤訳訂正１】
【訂正対象書類名】明細書
【訂正対象項目名】００１７
【訂正方法】変更
【訂正の内容】
【００１７】
ニューラルネットワークの訓練は、損失関数を使用して実行される。ここで、要素に属する各ベクトルに対して、該ベクトルとこの要素のベクトルの中心の間の距離が計算され、各要素のベクトルのすべての中心間の距離が、計算され、少なくとも、−  要素に属する各ベクトルについて、該ベクトルとこの要素のベクトルの中心との間の距離が減少する、および、−  各要素のベクトルのすべての中心間距離が増加する場合、目標値（たとえばゼロ）に達するまで損失関数が減少する。
【誤訳訂正２】
【訂正対象書類名】明細書
【訂正対象項目名】００９６
【訂正方法】変更
【訂正の内容】
【００９６】
不揮発性メモリＭＥＭ１では、命令ＩＮＳＴ１のセットが保存される。ＩＮＳＴ１の命令セットは、セマンティック・インスタンス・セグメンテーションを実行するためにニューラルネットワークを訓練する方法を実行する命令を備える。たとえば、図１を参照して説明した方法である。
【誤訳訂正３】
【訂正対象書類名】明細書
【訂正対象項目名】０１００
【訂正方法】変更
【訂正の内容】
【０１００】
システムＳ２は、プロセッサＰＲ２と不揮発性メモリＭＥＭ２を含む。不揮発性メモリには、命令ＩＮＳＴ２のセットが不揮発性メモリＭＥＭ２に保存されているイメージＩＭＧを使用して、セマンティック・インスタンス・セグメンテーションを実行するために格納されている。そして訓練されたニューラルネットワークＴＮＮもまた不揮発性メモリＭＥＭ２に保存される。
【誤訳訂正４】
【訂正対象書類名】特許請求の範囲
【訂正対象項目名】全文
【訂正方法】変更
【訂正の内容】
【特許請求の範囲】
【請求項１】
セマンティック・インスタンス・セグメンテーションに使用される、ニューラルネットワークを反復して訓練する方法であって、
反復ごとに、前記ニューラルネットワークは、テンプレート画像の各ピクセルに対してベクトル（１０、２０、３０）を出力し、
前記テンプレート画像は、定義済みの要素を含み、それぞれが前記テンプレート画像のピクセルと対応するベクトルに関連付けられ、
要素に属する各ベクトルについて、該ベクトルとこの要素のベクトルの中心（１１、１２、１３）の間の距離が計算され、各要素の前記ベクトルのすべての前記中心の間の距離が計算される損失関数（Ｌ）を使用して実行され、
前記損失関数は、少なくとも、
−要素に属する各ベクトルについて、該ベクトルとこの要素のベクトルの中心との間の距離が減少し、および、
−各要素のベクトルのすべての中心の間の距離が増加する場合、
目標値に達するまで減少する
ことを特徴とする方法。
【請求項２】
少なくとも、要素に属する各ベクトルについては、該ベクトルとこの要素のベクトルの中心との間の距離が、この距離が、あらかじめ定義された第１の距離しきい値（δｖ）以下となるまで、減少するとき、前記損失関数は、前記目標値に達するまで減少する、請求項１に記載の方法。
【請求項３】
前記損失関数は、少なくとも、各要素の前記ベクトルのすべての中心間の距離が、第２の事前定義された距離しきい値（δｄ）以上となるまで、増加したとき、前記目標値に達するまで減少する、請求項１または２に記載の方法。
【請求項４】
前記損失関数は、
【数１】
2020527812.tif 000001
である、請求項１から３のいずれか１項に記載の方法。
【請求項５】
前記損失関数は、各要素のベクトルの各中心間と前記ベクトルの空間の原点との距離が減少するとき、少なくとも前記目標値に達するまで減少するように、さらに定義される、請求項１ないし４のいずれか１項に記載の方法。
【請求項６】
前記損失関数は、追加の項、
【数２】
2020527812.tif 000002
を含む、請求項４および５の組み合わせによる方法。
【請求項７】
画像の各ピクセルの座標が、前記ニューラルネットワークに入力され、このピクセルの座標は前記ニューラルネットワークに入力される、請求項１ないし６のいずれか１項に記載の方法。
【請求項８】
画像に対して、請求項１ないし７のいずれか１項に記載の方法を使用して訓練された前記ニューラルネットワークを使用するステップを含む、セマンティック・インスタンス・セグメンテーションの方法。
【請求項９】
平均シフトアルゴリズムまたはｋ平均アルゴリズムが、前記ニューラルネットワークによって出力された前記ベクトルに適用される、後処理ステップをさらに含む、請求項７に記載の方法。
【請求項１０】
セマンティック・インスタンス・セグメンテーションに使用されるニューラルネットワークを反復して訓練するためのシステムであって、
反復ごとに、前記ニューラルネットワーク（ＮＮ）は、テンプレート画像（ＴＩＭＧ）の各ピクセルのベクトルを出力するように構成され、
該テンプレート画像は、それぞれがテンプレート画像のピクセルと対応するベクトルに関連付けられた定義済みの要素を備え、
前記システムが、要素に属する各ベクトルについて、該ベクトルとこの要素のベクトルの中心の間の距離が計算され、各要素の前記ベクトルのすべての前記中心の間の距離が計算される損失関数であって、
少なくとも、
−要素に属する各ベクトルについて、該ベクトルとこの要素のベクトルの中心との間の距離が減少し、および、
−各要素のベクトルのすべての中心の間の距離が増加する場合、
目標値に達するまで減少する前記損失関数を使用して、損失を算出するモジュール（ＰＲ１、ＩＮＳＴ１）を含む
ことを特徴とする、システム。
【請求項１１】
請求項１から７のいずれか１項に記載の方法を使用して訓練された前記ニューラルネットワークを含む画像セマンティック・インスタンス・セグメンテーションのためのシステム。
【請求項１２】
コンピュータプログラムがコンピュータによって実行されるとき、請求項１から９のいずれか１項に記載の方法のステップを実行するための命令指示を含むコンピュータプログラム。
【請求項１３】
請求項１から９のいずれか１項に記載の方法のステップを実行するための命令を含むコンピュータプログラムを記録している、コンピュータが読み取り可能な記録媒体。
【手続補正書】
【提出日】令和3年7月8日(2021.7.8)
【手続補正１】
【補正対象書類名】特許請求の範囲
【補正対象項目名】全文
【補正方法】変更
【補正の内容】
【特許請求の範囲】
【請求項１】
ソース語彙における所見コードのステートメントの特徴及びターゲット語彙における第２の所見コードの第２のステートメントの特徴を抽出するプロセッサを含む特徴抽出エンジンと、
抽出された前記特徴を含む少なくとも１つの特定された概念に基づいて、抽出された前記特徴を比較することにより、前記ソース語彙の前記ステートメントと前記ターゲット語彙の前記第２のステートメントとの間のマッピングを決定するプロセッサを含む所見コード比較エンジンと、
決定された前記マッピングを表示デバイスに提示するマッピングインターフェースと、
を含む、システム。
【請求項２】
前記所見コード比較エンジンは更に、ルールのセットを使用して、前記ソース語彙の前記ステートメントと前記ターゲット語彙の前記第２のステートメントとの類似性スコアを計算する、請求項１に記載のシステム。
【請求項３】
決定された前記マッピングに従って、前記ソース語彙における前記所見コードのためのルールのセットを、前記ターゲット語彙における前記第２の所見コードを含むルールのセットに変換するプロセッサを含む機械知能変換エンジンを更に含む、請求項１に記載のシステム。
【請求項４】
複数のソース語彙から前記ソース語彙を選択するプロセッサを含む語彙選択エンジンを更に含む、請求項１に記載のシステム。
【請求項５】
前記少なくとも１つの特定された概念は、少なくとも１つの一般化概念を含み、前記一般化概念は、異物、解剖学的構造、所見、重症度指標、病理学、画質指標、極性及び確実性指標を含む群から選択される少なくとも１つを含む、請求項１に記載のシステム。
【請求項６】
前記ソース語彙の前記ステートメント及び前記ターゲット語彙の前記第２のステートメントは、体系化された医学的ステートメントを含む、請求項１に記載のシステム。
【請求項７】
前記マッピングインターフェースは更に、入力デバイスからの入力に応答して、前記ソース語彙の前記ステートメントと前記ターゲット語彙の前記第２のステートメントとの間の決定された前記マッピングを確認する、請求項１に記載のシステム。
【請求項８】
ソース語彙における所見コードのステートメントの特徴及びターゲット語彙における第２の所見コードの第２のステートメントの特徴を抽出するステップと、
抽出された前記特徴を含む少なくとも１つの特定された概念に基づいて、抽出された前記特徴を比較することにより、前記ソース語彙の前記ステートメントと前記ターゲット語彙の前記第２のステートメントとの間のマッピングを決定するステップと、
決定された前記マッピングを表示デバイスに提示するステップと、
を含む、方法。
【請求項９】
前記マッピングを決定するステップは、ルールのセットを使用して、前記ソース語彙の前記ステートメントと前記ターゲット語彙の前記第２のステートメントとの類似性スコアを計算するステップを含む、請求項８に記載の方法。
【請求項１０】
決定された前記マッピングに従って、前記ソース語彙における前記所見コードを含むルールのセットを、前記ターゲット語彙の前記第２の所見コードを含むルールのセットに変換するステップを更に含む、請求項８に記載の方法。
【請求項１１】
複数のソース語彙から前記ソース語彙を選択するステップを更に含む、請求項８に記載の方法。
【請求項１２】
前記少なくとも１つの特定された概念は、少なくとも１つの一般化概念を含み、前記一般化概念は、異物、解剖学的構造、所見、重症度指標、病理学、画質指標、極性及び確実性指標を含む群から選択される少なくとも１つを含む、請求項８に記載の方法。
【請求項１３】
前記ソース語彙の前記ステートメント及び前記ターゲット語彙の前記第２のステートメントは、体系化された医学的ステートメントを含む、請求項８に記載の方法。
【請求項１４】
入力デバイスからの入力に応答して、前記ソース語彙の前記ステートメントと前記ターゲット語彙の前記第２のステートメントとの間の決定された前記マッピングを確認するステップを更に含む、請求項８に記載の方法。
【請求項１５】
前記第２のステートメントを変更する確認された前記マッピングを、前記ターゲット語彙に適用するステップを更に含む、請求項１４に記載の方法。
【手続補正書】
【提出日】令和3年6月25日(2021.6.25)
【手続補正１】
【補正対象書類名】特許請求の範囲
【補正対象項目名】全文
【補正方法】変更
【補正の内容】
【特許請求の範囲】
【請求項１】
送信機デバイスによって実行されるワイヤレス通信の方法であって、
少なくとも2つのデータストリームに対応する少なくとも2つの変調されたデータストリームを生成するために前記少なくとも2つのデータストリームに関する変調技法を実行するステップと、
それぞれの偏波パターンを前記少なくとも2つの変調されたデータストリームに適用するステップと、
前記それぞれの偏波パターンが適用された後の多重化された信号として前記少なくとも2つの変調されたデータストリームを送信するステップであって、前記少なくとも2つのデータストリームのうちの特定のデータストリームが、複数の異なる受信デバイスに対する多重化されたデータを含む、ステップと
を含む、方法。
【請求項２】
前記変調技法が、直交振幅変調技法である、請求項1に記載の方法。
【請求項３】
前記多重化された信号が、レイヤードビットマッピングを使用する重畳直交振幅変調技法または同相/直交多重化技法のうちの少なくとも1つに少なくとも部分的に基づいて多重化される、請求項1に記載の方法。
【請求項４】
前記それぞれの偏波パターンが、前記送信機デバイスのそれぞれの偏波アンテナを使用して適用される、請求項1に記載の方法。
【請求項５】
受信デバイスによって実行されるワイヤレス通信の方法であって、
それぞれの偏波パターンに関連付けられた少なくとも2つの変調されたデータストリームを含む多重化された信号を受信するステップであって、
前記それぞれの偏波パターンが、送信機デバイスのそれぞれの偏波アンテナを使用して適用される、ステップと、
前記少なくとも2つの変調されたデータストリームのうちの関連するデータストリームからデータを取得するステップであって、
前記関連するデータストリームが、前記受信デバイスを含む複数の異なる受信デバイスに対する多重化されたデータを含み、
前記少なくとも2つの変調されたデータストリームのうちの少なくとも1つの他のデータストリームが、前記それぞれの偏波パターンのうちの少なくとも1つに少なくとも部分的に基づいてフィルタ処理される、ステップと
を含む、方法。
【請求項６】
前記少なくとも2つの変調されたデータストリームが、直交振幅変調を使用して変調される、請求項5に記載の方法。
【請求項７】
前記受信デバイスが、前記多重化されたデータから前記関連するデータストリームを抽出するように構成された、請求項5に記載の方法。
【請求項８】
前記多重化されたデータが、レイヤードビットマッピングを使用する重畳直交振幅変調技法または同相/直交多重化技法のうちの少なくとも1つに少なくとも部分的に基づいて多重化される、請求項7に記載の方法。
【請求項９】
ワイヤレス通信のための装置であって、
少なくとも2つのデータストリームに対応する少なくとも2つの変調されたデータストリームを生成するために前記少なくとも2つのデータストリームに関する変調技法を実行するための手段と、
それぞれの偏波パターンを前記少なくとも2つの変調されたデータストリームに適用するための手段と、
前記それぞれの偏波パターンが適用された後の多重化された信号として前記少なくとも2つの変調されたデータストリームを送信するための手段であって、前記少なくとも2つのデータストリームのうちの特定のデータストリームが、複数の異なる受信デバイスに対する多重化されたデータを含む、手段と
を含む、装置。
【請求項１０】
前記変調技法が、直交振幅変調技法である、請求項9に記載の装置。
【請求項１１】
前記多重化された信号が、レイヤードビットマッピングを使用する重畳直交振幅変調技法または同相/直交多重化技法のうちの少なくとも1つに少なくとも部分的に基づいて多重化される、請求項9に記載の装置。
【請求項１２】
ワイヤレス通信のための装置であって、
それぞれの偏波パターンに関連付けられた少なくとも2つの変調されたデータストリームを含む多重化された信号を受信するための手段であって、
前記それぞれの偏波パターンが、送信機デバイスのそれぞれの偏波アンテナを使用して適用される、手段と、
前記少なくとも2つの変調されたデータストリームのうちの関連するデータストリームからデータを取得するための手段であって、前記関連するデータストリームが、前記装置を含む複数の異なる装置に対する多重化されたデータを含む、手段とを含み、
前記少なくとも2つの変調されたデータストリームのうちの少なくとも1つの他のデータストリームが、前記それぞれの偏波パターンのうちの少なくとも1つに少なくとも部分的に基づいてフィルタ処理される、装置。
【請求項１３】
前記少なくとも2つの変調されたデータストリームが、直交振幅変調を使用して変調される、請求項12に記載の装置。
【請求項１４】
前記装置が、前記多重化されたデータから前記関連するデータストリームを抽出するように構成された、請求項12に記載の装置。
【請求項１５】
コンピュータによって実行されたときに、前記コンピュータに請求項1から8のうちのいずれか一項に記載の方法を実行させるためのコードを含む、コンピュータプログラム。
【手続補正書】
【提出日】令和3年6月18日(2021.6.18)
【手続補正１】
【補正対象書類名】特許請求の範囲
【補正対象項目名】全文
【補正方法】変更
【補正の内容】
【特許請求の範囲】
【請求項１】
基地局(BS)によるワイヤレス通信のための方法であって、
少なくとも1つのユーザ機器(UE)固有の構成を割り当てるステップであって、前記UE固有の構成が、モビリティのための同期信号(SS)に対するリソースの割振りを含み、前記UE固有の構成が、サービング基地局によって送信される同期信号の指示、およびターゲット基地局によって送信される同期信号の指示を含む、割り当てるステップと、
前記UE固有の構成に少なくとも部分的に基づいて、前記UEと通信するステップと
を含む、方法。
【請求項２】
前記UE固有の構成を前記UEにサービスしている第2のBSに送信するステップ
をさらに含む、請求項1に記載の方法。
【請求項３】
前記UEにサービスしている前記第2のBSが、ハンドオーバメッセージ、無線リソース制御(RRC)構成、または制御チャネルのうちの1つまたは複数を通じて前記構成を前記UEに搬送する、請求項2に記載の方法。
【請求項４】
前記少なくとも1つの構成を割り当てるステップが、
ランダムアクセス(RACH)手順に対するUE固有のリソースを割り当てるステップ
をさらに含む、請求項1に記載の方法。
【請求項５】
前記RACH手順が、コンテンションフリーRACH手順を含み、
前記コンテンションフリーRACH手順に関する前記UE固有の構成が、前記BSによるRACHシグナリングの送信のためのリソースを含む
請求項4に記載の方法。
【請求項６】
前記RACH手順に関する前記UE固有の構成が、前記RACHに関して前記UEに割り当てられた少なくとも1つのプリアンブルを含む、請求項4に記載の方法。
【請求項７】
前記RACH手順に関する前記UE固有の構成が、前記RACH手順の間にRACHプリアンブルおよびRACH機会を受信するための、前記BSに関連付けられるビームの指示を含む、請求項4に記載の方法。
【請求項８】
前記UE固有の構成が、L3モビリティのために使用され、前記L3モビリティは、前記UEが、前記UEにサービスしているBSから前記BSに移動する間に、少なくとも1つのインターネットプロトコル(IP)セッションを維持することを可能にする、請求項1に記載の方法。
【請求項９】
ユーザ機器(UE)によるワイヤレス通信のための方法であって
少なくとも1つのUE固有の構成の割当てを受信するステップであって、前記UE固有の構成が、モビリティのための同期信号(SS)に対するリソースの割振りを含み、前記UE固有の構成が、サービング基地局によって送信される同期信号の指示、およびターゲット基地局によって送信される同期信号の指示を含む、受信するステップと、
前記UE固有の構成に少なくとも部分的に基づいて、基地局(BS)と通信するステップと
を含む、方法。
【請求項１０】
前記SSがUE固有のSSを含む、請求項1または9に記載の方法。
【請求項１１】
前記少なくとも1つのUE固有の構成が、
ランダムアクセス(RACH)手順に対するUE固有のリソース
をさらに含む、請求項9に記載の方法。
【請求項１２】
前記RACH手順が、コンテンションフリーRACH手順を含み、
前記コンテンションフリーRACH手順に対する前記UE固有のリソースが、前記SSに少なくとも部分的に基づく
請求項11に記載の方法。
【請求項１３】
前記割当てを受信するステップが、前記UEにサービスしていないBSからの送信に関連するUE固有の構成を受信するステップと、前記UEにサービスしているBSからの送信に関連するUE固有の構成を受信するステップとを含み、
前記方法が、
前記UEにサービスしている前記BSによって送信された前記UE固有の構成に関連するSS信号と、前記UEにサービスしていない前記BSによって送信された前記UE固有の構成に関連する信号とに関連する測定報告を、前記UEにサービスしている前記BSに送信するステップと、
前記UEにサービスしている前記BSから、前記測定報告に少なくとも部分的に基づくモビリティ管理コマンドを受信するステップと
をさらに含む、請求項9に記載の方法。
【請求項１４】
基地局(BS)によるワイヤレス通信のための装置であって、少なくとも1つのプロセッサと、前記少なくとも1つのプロセッサに結合されたメモリとを含み、前記少なくとも1つのプロセッサが、
少なくとも1つのユーザ機器(UE)固有の構成を割り当てることであって、前記UE固有の構成が、モビリティのための同期信号(SS)に対するリソースの割振りを含み、前記UE固有の構成が、サービング基地局によって送信される同期信号の指示、およびターゲット基地局によって送信される同期信号の指示を含む、割り当てることと、
前記UE固有の構成に少なくとも部分的に基づいて、前記UEと通信することと
を行うように構成される、装置。
【請求項１５】
ユーザ機器(UE)によるワイヤレス通信のための装置であって、少なくとも1つのプロセッサと、前記少なくとも1つのプロセッサに結合されたメモリとを含、前記少なくとも1つのプロセッサが、
少なくとも1つのUE固有の構成の割当てを受信することであって、前記UE固有の構成が、モビリティのための同期信号(SS)に対するリソースの割振りを含み、前記UE固有の構成が、サービング基地局によって送信される同期信号の指示、およびターゲット基地局によって送信される同期信号の指示を含む、受信することと、
前記UE固有の構成に少なくとも部分的に基づいて、基地局(BS)と通信することと
を行うように構成される、装置。
【手続補正書】
【提出日】令和3年6月23日(2021.6.23)
【手続補正１】
【補正対象書類名】特許請求の範囲
【補正対象項目名】請求項１
【補正方法】変更
【補正の内容】
【請求項１】
圧縮パラメータに従って、１つ又は複数の入力データセットであり、前記入力データセット又は各入力データセットが、Ｍ個の係数のシーケンスを含み、各係数が０と２ｍ−１との間に含まれる大きさを符号化するｍビットを有する、前記１つ又は複数の入力データセットを、大きさ圧縮データセット及びメタデータ圧縮データセットをそれぞれが含む１つ又は複数の対応する圧縮データセットに圧縮する方法において、前記圧縮パラメータが、Ｍ、ｍ、ｎ、ｔ、量子化のタイプ、負優先又は正優先の何れかであるマッピングモード、前記入力データセットが表示画像を表す場合の表示画像の行及び列の数、画素のシーケンスが表示画像の無相関化変換である場合のサブバンドの行の数、水平予測又は垂直予測であり得る予測モード、予測子の初期値が決定される方法、エントロピー符号化モード、前記エントロピー符号化がライス符号化である場合の前記ライス符号化のパラメータｋの値、及び「最小値による境界」、「最小値／最大値による境界」、「最大値による境界」、「境界なし」のうちの１つである境界モードを含んでもよく、
前記入力データセット又は各入力データセットについて、
Ａ．ｎ個の係数の１つ又は複数の連続グループに前記係数をグループ化するステップであって、グループ化因数ｎが、２以上であり、係数の各グループが、前記係数の異なる重みに対しｍ個の大きさビット平面を有する、グループ化するステップと、
Ｂ．係数の各グループｉについて、
ａ）最大符号化ラインインデックス（ＧＣＬＩ）の値を決定するステップであって、前記ＧＣＬＩｉが、前記グループｉにおける前記係数の前記大きさの前記ビットのうち最高重みの非ゼロビットのインデックスであり、前記インデックスが、最下位ビットについての１から最上位ビットについてのｍまでカウントされており、前記ＧＣＬＩが、前記係数の全てがゼロに等しいグループについて０である、決定するステップと、
ｂ）量子化係数が０から２（ｍ−ｔ）−１の範囲に含まれるように、量子化を実行するステップであって、ｎ個の量子化係数を提供し、ｔが、量子化レベルである、実行するステップと、
ｃ）ＧＣＬＩｉ≧ｔ＋１である場合、前記グループの各ビット平面について、前記量子化係数の重み１から重みＧＣＬＩｉ−ｔを有するビット平面を、前記大きさ圧縮データセットにコピーするステップと、
ｄ）ＧＣＬＩｉ≦ｔである場合に何も行わないステップと、
ｅ）前記係数のシーケンス内の先行係数の１つ又は複数のグループのＧＣＬＩの関数で、ＧＣＬＩｉの予測子ｐｒｅｄｉを計算するステップであって、前記係数のシーケンスの係数の最初のグループについて、前記予測子ｐｒｅｄｉが、ｐｒｅｄ＿ｉｎｉｔに等しい、計算するステップと、
ｆ）残差ｒｉ、
ｒｉ＝ｍａｘ（ＧＣＬＩｉ−ｔ，０）−ｍａｘ（ｐｒｅｄｉ−ｔ，０）
を計算するステップであって、ｇ）及びｈ）の追加ステップを含むことを特徴とする、計算するステップと、
ｇ）前記残差ｒｉを符号にマッピングするステップであって、
（１）ｒｍｉｎ＝−ｍａｘ（ｐｒｅｄｉ−ｔ，０）である、ＧＣＬＩｉの全ての可能な値についての前記残差の最小値である前記ｒｍｉｎを計算するステップと、
（２）ｒｍａｘ＝ｍａｘ（ｍ−ｍａｘ（ｐｒｅｄｉ，ｔ），０）である、ＧＣＬＩｉの全ての可能な値についての前記残差の最大値である前記ｒｍａｘを計算するステップと、
（３）−  マッピングモードが負優先の場合、Ｃｆｉｒｓｔ＝−１、
−  マッピングモードが正優先の場合、Ｃｆｉｒｓｔ＝＋１
を計算するステップと、
（４）−  境界モードが「最小値による境界」である場合、トリガ＝｜ｒｍｉｎ｜、
−  境界モードが「最小値／最大値による境界」である場合、トリガ＝ＭＩＮ（｜ｒｍｉｎ｜，ｒｍａｘ）、
−  境界モードが「最大値による境界」である場合、トリガ＝ｒｍａｘ、
−  境界モードが「境界なし」である場合、トリガ＝ｍ、
を計算するステップと、
（５）｜ｒ｜≦トリガである場合、
ｒ＊Ｃｆｉｒｓｔ＞０のときに、Ｃ＝２＊｜ｒ｜−１であり、
ｒ＊Ｃｆｉｒｓｔ＞０でないときに、Ｃ＝２＊｜ｒ｜であり、
｜ｒ｜≦トリガでない場合、Ｃ＝トリガ＋｜ｒ｜であるステップと、
を実行することによって前記マッピングが取得可能である、マッピングするステップと、
ｈ）前記エントロピー符号化モードによって前記符号Ｃのエントロピー符号化を提供するステップ、及び前記符号化を前記メタデータ圧縮データセット内にコピーするステップと、
を含むことを特徴とする方法。
【手続補正２】
【補正対象書類名】特許請求の範囲
【補正対象項目名】請求項１６
【補正方法】変更
【補正の内容】
【請求項１６】
ライス符号化符号のシーケンスを含むメタデータ圧縮データセット、及び係数のビット平面を含む大きさ圧縮データセットを含む圧縮データセットを展開するためのデバイスにおいて、前記圧縮データセットが、請求項１乃至１０のうちの何れか１項に記載の方法によって展開データセット内に取得可能であり、前記展開データセットが、Ｍ個の係数のシーケンスを含み、各係数が大きさを符号化するｍビットを有し、請求項１１乃至１３のうちの何れか１項に記載の方法のステップを実行するように構成される、論理回路、ＡＳＩＣ、ＦＰＧＡ、ＧＰＵ、及びＣＰＵのうちの少なくとも１つを含むことを特徴とするデバイス。
【手続補正書】
【提出日】令和3年6月18日(2021.6.18)
【手続補正１】
【補正対象書類名】特許請求の範囲
【補正対象項目名】全文
【補正方法】変更
【補正の内容】
【特許請求の範囲】
【請求項１】
基準信号を通信するための方法であって、
同期信号ブロック(SSB)が送信されるハーフフレームに基づいて、前記SSB内の送信のために複数の復調基準シーケンス(DMRS)のうちの1つのDMRSを選択するステップであって、
前記複数のDMRSは、前記SSB内で使用され得る候補DMRSシーケンスである、ステップと、
前記選択されたDMRSを前記SSB内で送信するステップと
を含む、方法。
【請求項２】
前記ハーフフレームがシステムフレームの一部分である、請求項1に記載の方法。
【請求項３】
前記SSBが、4個のSSBを含む同期信号(SS)バーストセット内の複数のSSBのうちの1つのSSBである、請求項1に記載の方法。
【請求項４】
前記DMRSを前記選択するステップが、前記SSBのインデックスにさらに基づく、請求項3に記載の方法。
【請求項５】
前記複数のSSBの各々が、別個の空間ビーム上で送信される、請求項4に記載の方法。
【請求項６】
前記SSBが物理ブロードキャストチャネル(PBCH)を含む、請求項1に記載の方法。
【請求項７】
前記DMRSを前記選択するステップが、前記SSBのインデックスにさらに基づく、請求項1に記載の方法。
【請求項８】
メモリと、
プロセッサと
を含む、ワイヤレスデバイスであって、前記プロセッサが、
同期信号ブロック(SSB)が送信されるハーフフレームに基づいて、前記SSB内の送信のために複数の復調基準シーケンス(DMRS)のうちの1つのDMRSを選択することであって、
前記複数のDMRSは、前記SSB内で使用され得る候補DMRSシーケンスである、選択することと、
前記選択されたDMRSを前記SSB内で送信することと
を行うように構成される、ワイヤレスデバイス。
【請求項９】
前記ハーフフレームがシステムフレームの一部分である、請求項8に記載のワイヤレスデバイス。
【請求項１０】
前記SSBが、4個のSSBを含む同期信号(SS)バーストセット内の複数のSSBのうちの1つのSSBである、請求項8に記載のワイヤレスデバイス。
【請求項１１】
前記DMRSを前記選択することが、前記SSBのインデックスにさらに基づく、請求項10に記載のワイヤレスデバイス。
【請求項１２】
前記複数のSSBの各々が、別個の空間ビーム上で送信される、請求項11に記載のワイヤレスデバイス。
【請求項１３】
前記SSBが物理ブロードキャストチャネル(PBCH)を含む、請求項8に記載のワイヤレスデバイス。
【請求項１４】
前記DMRSを前記選択することが、前記SSBのインデックスにさらに基づく、請求項8に記載のワイヤレスデバイス。
【請求項１５】
命令を記憶した非一時的コンピュータ可読記憶媒体であって、
前記命令が、ワイヤレスデバイスによって実行されると、前記ワイヤレスデバイスに、基準信号を通信するための方法を実行させ、前記方法が、
同期信号ブロック(SSB)が送信されるハーフフレームに基づいて、前記SSB内の送信のために複数の復調基準シーケンス(DMRS)のうちの1つのDMRSを選択することであって、
前記複数のDMRSは、前記SSB内で使用され得る候補DMRSシーケンスである、選択することと、
前記選択されたDMRSを前記SSB内で送信することと
を含む、非一時的コンピュータ可読記憶媒体。
【手続補正書】
【提出日】令和3年6月25日(2021.6.25)
【手続補正１】
【補正対象書類名】特許請求の範囲
【補正対象項目名】全文
【補正方法】変更
【補正の内容】
【特許請求の範囲】
【請求項１】
送信機デバイスによって実行されるワイヤレス通信の方法であって、
帯域幅を複数の重複しないサブバンドに区分するステップであって、前記複数の重複しないサブバンドが第1のサブバンドと第2のサブバンドとを含み、前記第1のサブバンドと前記第2のサブバンドはガードバンドまたはその他の種類のスペーシングによって分離される、ステップと、
前記複数の重複しないサブバンドのうちの異なるサブバンドを異なる受信デバイスに割り当てるステップであって、前記異なるサブバンドのうちの、前記異なる受信デバイスのうちの特定の受信デバイスに割り当てられるサブバンドが、前記特定の受信デバイスの帯域幅能力に対応する、ステップと、
前記異なる受信デバイスに対する複数のそれぞれのビームを形成するステップであって、前記複数のそれぞれのビームが、前記異なる受信デバイスに割り当てられた前記異なるサブバンドのそれぞれのサブバンドを占有する、ステップと
を含む、方法。
【請求項２】
前記特定の受信デバイスの前記帯域幅能力が、前記特定の受信デバイスの最大帯域幅能力であり、異なるサブバンドは、前記異なる受信デバイスの帯域幅能力に少なくとも部分的に基づき、割り当てられる、請求項1に記載の方法。
【請求項３】
前記複数のそれぞれのビームが、受信デバイス固有のビームフォーミングを使用して形成される、請求項1に記載の方法。
【請求項４】
受信デバイスによって実行されるワイヤレス通信の方法であって、
前記受信デバイスの帯域幅能力を識別する情報を送信機デバイスに送信するステップであって、前記帯域幅能力が、前記送信機デバイスのビーム帯域幅のサブバンドに対応し、前記帯域幅能力は、前記受信デバイスが前記ビーム帯域幅の全体にアクセスする能力を有しないことを示す、ステップと、
受信デバイス固有のビームを前記送信機デバイスから受信するステップであって、
前記受信デバイス固有のビームが、前記受信デバイスに固有であって前記サブバンドを占有し、
前記サブバンドが、前記受信デバイスの帯域幅能力に対応し、
前記受信デバイス固有のビームが、前記ビーム帯域幅内で前記送信機デバイスによって送信された複数の重複しない受信デバイス固有のビームのうちの1つである、ステップと
を含む、方法。
【請求項５】
前記ビーム帯域幅は、前記送信機デバイスのダウンリンク通信チャネルの帯域幅である、請求項4に記載の方法。
【請求項６】
ワイヤレス通信のための装置であって、
帯域幅を複数の重複しないサブバンドに区分するための手段あって、前記複数の重複しないサブバンドが第1のサブバンドと第2のサブバンドとを含み、前記第1のサブバンドと前記第2のサブバンドはガードバンドまたはその他の種類のスペーシングによって分離される、手段と、
前記複数の重複しないサブバンドのうちの異なるサブバンドを異なる受信デバイスに割り当てるための手段であって、前記異なるサブバンドのうちの、前記異なる受信デバイスのうちの特定の受信デバイスに割り当てられるサブバンドが、前記特定の受信デバイスの帯域幅能力に対応する、手段と、
前記異なる受信デバイスに対する複数のそれぞれのビームを形成するための手段であって、前記複数のそれぞれのビームが、前記異なる受信デバイスに割り当てられた前記異なるサブバンドのそれぞれのサブバンドを占有する、手段と
を含む、装置。
【請求項７】
前記特定の受信デバイスの前記帯域幅能力が、前記特定の受信デバイスの最大帯域幅能力であり、異なるサブバンドは、前記異なる受信デバイスの帯域幅能力に少なくとも部分的に基づき、割り当てられる、請求項6に記載の装置。
【請求項８】
前記複数のそれぞれのビームが、受信デバイス固有のビームフォーミングを使用して形成される、請求項6に記載の装置。
【請求項９】
ワイヤレス通信のための装置であって、
前記装置の帯域幅能力を識別する情報を送信機デバイスに送信するための手段であって、前記帯域幅能力が、前記送信機デバイスのビーム帯域幅のサブバンドに対応し、前記帯域幅能力は、前記装置が前記ビーム帯域幅の全体にアクセスする能力を有しないことを示す、手段と、
受信デバイス固有のビームを前記送信機デバイスから受信するための手段であって、
前記受信デバイス固有のビームが、前記装置に固有であって前記サブバンドを占有し、
前記サブバンドが、前記装置の帯域幅能力に対応し、
前記受信デバイス固有のビームが、前記ビーム帯域幅内で前記送信機デバイスによって送信された複数の重複しない受信デバイス固有のビームのうちの1つである、手段と
を含む、装置。
【請求項１０】
前記ビーム帯域幅は、前記送信機デバイスのダウンリンク通信チャネルの帯域幅である、請求項9に記載の装置。
【請求項１１】
実行されたときに請求項1から5のうちのいずれか一項に記載の方法を実行するためのコードを含むコンピュータプログラム。
【手続補正書】
【提出日】令和3年6月16日(2021.6.16)
【手続補正１】
【補正対象書類名】特許請求の範囲
【補正対象項目名】全文
【補正方法】変更
【補正の内容】
【特許請求の範囲】
【請求項１】
収束Ｘ線を提供するためのＸ線システムであって、
ａ．光軸を有するＸ線源と、
ｂ．単結晶から作られた複数のタイルによって形成された第１のブラッグ反射面を有する少なくとも１つの第１のリングを備えるＸ線レンズ配置と、
を備え、
前記少なくとも１つのリングには、前記光軸に沿って同軸状に隣接して取り付けられた少なくとも１つの第２のリングが設けられており、前記第２のリングは、第２のブラッグ反射面を有し、前記第２の反射面でブラッグ角が下記の条件の１つを満たすように、前記第２の反射面は、単結晶から作られた複数のタイルによって形成され、
前記第１および第２の反射面の前記単結晶のタイルの少なくとも１つは、それぞれ、前記第１および第２のリングのネジ部材にネジ接続され、前記単結晶のタイルの少なくとも１つは、前記ネジ部材によって個別に調整可能である、
Ｘ線システム。
ａ．前記第２の反射面は、ローランド円エンベロープ位置に取り付けられている；
ｂ．前記第２の反射面は、反射面がローランド半径Ｒに接するヨハンソンおよびヨハンの理論に従って、前記単結晶の結晶面に対してオフカット角を有するタイルによって形成される；
ｃ．前記第２の反射面の前記単結晶の結晶面は、前記ヨハンソンおよびヨハンの理論に従って前記光軸に対してタイル配置され、前記結晶面は２倍のローランド半径２Ｒに接する。
【請求項２】
請求項１に記載のＸ線システムであって、
前記ネジ部材は、
ａ．傾斜角の変化；
ｂ．前記タイルが前記リング上に保持されている場所からの距離を変更することによる、前記リングの中心からの半径方向距離の変化；
ｃ．保持するネジの組み合わせを変更することによる、前記光軸に対する前記タイルのロール、ヨー、ピッチの変化；
の１つのために構成される、Ｘ線システム。
【請求項３】
前記レンズシステムは、リングの一部、完全なリング、円錐形リング、バレルリング、およびそれらの任意の組み合わせを含む、請求項１に記載のＸ線システム。
【請求項４】
請求項１に記載のＸ線システムであって、
ａ．前記光軸から離れた前記第２のリングの中心軸の移動；
ｂ．前記第２のリングの前記中心軸を、前記光軸に対して所定の角度だけ傾ける；
ｃ．ローランドエンベロープの位置から、ターゲットのサイズと形状に対応する所定の位置への前記タイルの移動；
ｄ．ローランドエンベロープの位置から、ターゲットのサイズと形状に対応する所定の位置への前記タイルの角度変更；
ｅ．ターゲットのサイズと形状に対応するヨハンソンおよびヨハン幾何学形状からの前記タイルの角度変更；
ｆ．上記の変更の任意の組み合わせ；
によって、前記同軸拡張リングは、ターゲットのサイズと形状を制御するためのヨハンおよびヨハンソン理論の理論パラメータから逸脱することができる、Ｘ線システム。